(57)【特許請求の範囲】
【請求項１】
エレベータの乗りかごの運転制御を行う乗りかご制御装置に接続されたエレベータ表示装置において、
前記乗りかご制御装置で乗りかごに対し通常運転制御が行われているときには通常運転時の運転制御情報に対応する表示情報を取得し、前記乗りかごに対し緊急対応運転制御に切り替えられたことを検知すると緊急対応時の運転制御情報に対応する表示情報を取得する表示情報取得部と、
前記表示情報取得部で取得された表示情報を表示させる画面を有する表示部と、
前記表示情報を、前記表示部の画面上に所定方向にスライドインさせた後、スクロール移動させ、前記表示情報が所定位置に表示されたと判断されたときに、前記表示情報を前記所定位置で一定時間静止させるかまたは前記所定位置に複数回表示させた後、スライドアウトさせ、
当該表示情報を右方向または下方向にスクロール移動させる場合には、左方向または上方向にスクロールさせる場合よりも、前記所定位置での静止時間を長くするか、前記所定位置での表示回数を多くするか、または、スクロール速度を遅くして表示させ、
前記緊急対応時の運転制御情報に対応する表示情報を前記所定位置で一定時間静止させるときには、前記通常運転時の運転制御情報の場合よりも静止時間を長くし、前記緊急対応時の運転制御情報に対応する表示情報を前記所定位置に複数回表示させるときには、前記通常運転時の運転制御情報の場合よりも表示回数を多くするように制御する表示制御部と
を備えることを特徴とするエレベータ表示装置。
【請求項２】
前記表示制御部は、前記表示情報が所定位置に表示されたと判断されたときに、前記表示情報の色、明るさ、またはこれらの組み合わせを変化させる
ことを特徴とする請求項１に記載のエレベータ表示装置。
【請求項３】
前記表示制御部は、前記表示情報が、前記表示部の画面上に所定方向にスライドインされた後、スクロール移動されてスライドアウトされ、さらに当該表示情報が１キャラクタずつ順に前記画面の所定位置に表示されるように制御する
ことを特徴とする請求項１または２に記載のエレベータ表示装置。
【請求項４】
前記表示制御部は、前記表示情報が前記所定位置に表示されたと判断されたときに、前記表示情報の色調を反転させる
ことを特徴とする請求項１〜３いずれか１項に記載のエレベータ表示装置。
【請求項５】
エレベータの乗りかごの運転制御を行う乗りかご制御装置に接続され、
前記乗りかご制御装置で乗りかごに対し通常運転制御が行われているときには通常運転時の運転制御情報に対応する表示情報を取得し、前記乗りかごに対し緊急対応運転制御に切り替えられたことを検知すると緊急対応時の運転制御情報に対応する表示情報を取得する表示情報取得部と、
前記表示情報取得部で取得された表示情報を表示させる画面を有する表示部と、
前記表示情報を、前記表示部の画面上に所定方向にスライドインさせた後、スクロール移動させ、前記表示情報が所定位置に表示されたと判断されたときに、前記表示情報を前記所定位置で一定時間静止させるかまたは前記所定位置に複数回表示させた後、スライドアウトさせる表示制御部とを備えたエレベータ制御装置において、
前記表示情報を、右方向または下方向にスクロール移動させる場合には、左方向または上方向にスクロールさせる場合よりも、前記所定位置での静止時間を長くするか、前記所定位置での表示回数を多くするか、または、スクロール速度を遅くして表示させ、
前記緊急対応時の運転制御情報に対応する表示情報を前記所定位置で一定時間静止させるときには、前記通常運転時の運転制御情報の場合よりも静止時間を長くし、前記緊急対応時の運転制御情報に対応する表示情報を前記所定位置に複数回表示させるときには、前記通常運転時の運転制御情報の場合よりも表示回数を多くする
ことを特徴とするエレベータ表示装置の情報表示方法。
【発明の詳細な説明】
【技術分野】
【０００１】
本発明の実施形態は、エレベータ表示装置およびエレベータ表示装置の情報表示方法に関する。
【背景技術】
【０００２】
従来、エレベータの乗りかご内の行き先登録ボタン付近や乗り場の呼び登録ボタン付近にはエレベータ表示装置が設置されている。このエレベータ表示装置には、乗りかごの現在の位置（階床）や動作方向が表示される。
【０００３】
このように、エレベータの乗りかごの現在位置や動作方向を乗りかごや乗り場のエレベータ表示装置に表示させることで、利用者が的確にエレベータの運行状態を把握することが可能になる。
【先行技術文献】
【特許文献】
【０００４】
【特許文献１】特開平２−５８１９５号公報
【発明の概要】
【発明が解決しようとする課題】
【０００５】
エレベータの表示装置には、上述したようなエレベータの現在位置や動作方向などの状態情報の他、緊急時、例えば建物内で火災が発生したことを利用者に報知するための情報を表示させることがある。
【０００６】
しかし、エレベータ表示装置として一般的に用いられているドットマトリクス画面では情報がコマ送り表示となり、視認性が悪いという問題があった。
【０００７】
上述したような緊急性を要する情報は利用者に迅速に報知する必要があり、エレベータ表示装置の注目度や視認性をさらに向上させる必要があった。
【０００８】
本発明は上記事情に鑑みてなされたものであり、利用者による注目度や視認性を向上させるエレベータ表示装置およびエレベータ表示装置の情報表示方法を提供することを目的とする。
【課題を解決するための手段】
【０００９】
上記目的を達成するための実施形態によれば、エレベータの乗りかごの運転制御を行う乗りかご制御装置に接続されたエレベータ表示装置は、表示情報取得部と表示部と表示制御部とを有する。表示情報取得部は、乗りかご制御装置で乗りかごに対し通常運転制御が行われているときには通常運転時の運転制御情報に対応する表示情報を取得し、乗りかごに対し緊急対応運転制御に切り替えられたことを検知すると緊急対応時の運転制御情報に対応する表示情報を取得する。表示部は、表示情報取得部で取得された表示情報を表示させる画面を有する。表示制御部は、表示情報を、表示部の画面上に所定方向にスライドインさせた後、スクロール移動させ、表示情報が所定位置に表示されたと判断されたときに、表示情報を所定位置で一定時間静止させるかまたは所定位置に複数回表示させた後、スライドアウトさせ、当該表示情報を右方向または下方向にスクロール移動させる場合には、左方向または上方向にスクロールさせる場合よりも、所定位置での静止時間を長くするか、所定位置での表示回数を多くするか、または、スクロール速度を遅くして表示させ、緊急対応時の運転制御情報に対応する表示情報を所定位置で一定時間静止させるときには、通常運転時の運転制御情報の場合よりも静止時間を長くし、緊急対応時の運転制御情報に対応する表示情報を所定位置に複数回表示させるときには、通常運転時の運転制御情報の場合よりも表示回数を多くするように制御する。
【００１０】
具体的には、エレベータの乗りかごの運行状況等の情報をドット表示する表示部を有し、エレベータの乗り場またはエレベータの乗りかご内に設けられ、エレベータの乗りかごの運行状況等の情報を文字又は図形として前記表示部に表示させるエレベータ表示装置と、表示された文字又は図形をスクロールし、前記表示部にスライドインしてきた文字又は図形の全形状が前記表示部に完全に表示されている時、又は前記表示部の中央付近に表示された時に、文字又は図形を一定時間静止させた後、再度スクロールさせる表示制御装置とを有するエレベータ表示装置である。
【図面の簡単な説明】
【００１１】
【図１】第１実施形態〜第７実施形態によるエレベータ表示装置を利用したエレベータの乗りかご内を示す正面図。
【図２】第１実施形態〜第７実施形態によるエレベータ表示装置を利用したエレベータシステムの構成を示すブロック図。
【図３】第１実施形態〜第７実施形態によるエレベータ表示装置を利用したエレベータシステムの動作を示すシーケンス図。
【図４】第１実施形態によるエレベータ表示装置の表示部の画面遷移図。
【図５】第２実施形態によるエレベータ表示装置の表示部の画面遷移図。
【図６】第６実施形態によるエレベータ表示装置の表示部の画面遷移図。
【図７】第７実施形態によるエレベータ表示装置の表示部の画面遷移図。
【発明を実施するための形態】
【００１２】
《第１実施形態》
第１実施形態によるエレベータ表示装置を備えたエレベータシステムの構成〉
本発明の第１実施形態によるエレベータシステム１は、乗りかご１０および乗りかご１０の運転を制御する乗りかご制御装置２０を有する。
【００１３】
図１は、本実施形態によるエレベータシステムの乗りかご１０の内部から見た扉１１方向の正面図である。
【００１４】
乗りかご１０の扉１１近傍には、行き先ボタン群１２および表示部１３１備えたエレベータ表示装置である乗りかご表示装置１３が設置されている。
【００１５】
乗りかご表示装置１３の詳細な構成について、図２を参照して説明する。乗りかご表示装置１３は、乗りかご１０の運転を制御する乗りかご制御装置２０に接続され、表示部１３１と、表示情報記憶部１３２と、乗りかご制御情報取得部１３３と、表示情報取得部１３４と、表示制御部１３５とを有する。
【００１６】
表示部１３１は、乗りかご１０の現在の位置（階床）や動作方向等を示す表示情報や、緊急時であることを利用者へ報知するための表示情報を、ドット表示させる画面である。
【００１７】
表示情報記憶部１３２は、乗りかご１０の運転制御情報ごとの表示情報、例えば運行状態に対応する乗りかご１０の現在に位置（階床）や動作方向を示す表示情報や、緊急時であることを利用者へ報知するための表示情報等を記憶する。
【００１８】
乗りかご制御情報取得部１３３は、乗りかご制御装置２０から所定時間間隔で当該乗りかご１０の運転制御情報を取得する。乗りかご１０の運転制御情報には、当該乗りかご１０の運行状態情報や、緊急対応運転情報等が含まれる。
【００１９】
表示情報取得部１３４は、乗りかご制御情報取得部１３３で取得された乗りかご１０の運転制御情報に対応する表示情報を、表示情報記憶部１３２から取得する。
【００２０】
表示制御部１３５は、表示情報取得部１３４で取得された表示情報を、表示部１３１にスクロール表示させる。
【００２１】
〈第１実施形態によるエレベータ表示装置を備えたエレベータシステム動作〉
次に本実施形態において、エレベータシステム１が設置された建物内で火災が発生した場合の乗りかご制御装置２０および乗りかご表示装置１３の表示情報切り替え動作について、図３のシーケンス図を参照して説明する。
【００２２】
まず乗りかご制御装置２０により乗りかご１０に対し通常運転制御が行われているとき（Ｓ１）、乗りかご表示装置１３の乗りかご制御情報取得部１３３において所定時間間隔で、乗りかご制御装置２０から当該乗りかご１０の運行状態情報を含む運転制御情報が取得される（Ｓ２）。
【００２３】
そして、取得された通常運転時の運転制御情報に対応する表示情報、例えば現在の位置（階床）や動作方向を示す矢印等の表示情報が表示情報記憶部１３２から取得され（Ｓ３）、利用者に報知するために表示部１３１にスクロール表示される（Ｓ４）。
【００２４】
ここで、当該建物内において火災が発生したことが乗りかご制御装置２０で検知されると、乗りかご１０に対する制御が緊急対応運転制御に切り替えられる（Ｓ５）。そして、乗りかご表示装置１３の乗りかご制御情報取得部１３３において乗りかご制御装置２０から取得された運転制御情報により、緊急対応運転制御に切り替えられたことが検知される（Ｓ６）。
【００２５】
緊急対応運転制御に切り替えられたことが検知されると、乗りかご制御情報取得部１３３において、当該緊急対応時の運転制御に対応する表示情報、例えば火災が発生したことを示すテキスト文字「火」が表示情報記憶部１３２から取得され（Ｓ７）、利用者に報知するために表示部１３１にスクロール表示される（Ｓ８）。
【００２６】
上述したステップＳ４およびステップＳ８において表示情報が表示部１３１にスクロール表示されるときには、この表示情報が表示部１３１の画面右側から左方向にスライドインされた後、スクロール移動され、当該表示情報が画面の中央等の所定位置に表示されたと判断された位置で一定時間静止され、さらに画面左側からスライドアウトされて表示されるように制御される。
【００２７】
一例として、ステップＳ８においてテキスト文字「火」の表示情報が、表示部１３１にスクロール表示される場合の画面遷移について図４を参照して説明する。図４の例では、表示部１３１の画面の１ドットが１マスで表され、時刻t1、t2、t3・・・と経過するごとに画面全体が左方向に１ドットずつスクロール移動されるように更新される。また、この画面には１文字のテキスト文字のみが表示可能であるものとする。
【００２８】
この画面上にテキスト文字「火」が画面右側から左方向にスライドインされてスクロール移動され（図４の時刻t1〜t9に該当）、画面の中央に表示されたと判断された位置で一定時間静止される（図４の時刻t10〜t12に該当）。ここでは、テキスト文字「火」が画面の中央に表示されたか否かは、文字情報内の所定位置（例えば中央位置）が画面内の所定位置（例えば中央位置）に合致して表示されたか否かにより判断することができる。また、文字が静止される一定時間は視認性を向上させることができる程度に予め設定される時間であり、例えば0.5秒程度である。その後、テキスト文字「火」が画面左側からスライドアウトされる（図４の時刻t13〜t21に該当）。
【００２９】
以上の第１実施形態によれば、限られたスペースの画面を有するエレベータ表示装置の表示部において、利用者に報知したい情報をスライドインさせながら画面に表示させるため、情報が所定位置に表示されるまでの間に利用者の注意をひくことができるとともに、表示情報が所定位置に表示された状態で一定時間静止させた後にスライドアウトさせることにより、利用者の視認性を向上させることができる。
【００３０】
また本実施形態においては、表示部の画面に１文字のテキスト文字のみが表示可能である場合について説明したが、複数の文字を表示可能な画面を用いて複数のテキスト文字を含む表示情報を表示させてもよく、この場合も表示情報内の所定位置が画面内の所定位置に表示されたか否かにより複数のテキスト文字が画面の中央に表示されたか否かを判断することができる。
【００３１】
また本実施形態においては、表示情報であるテキスト文字が画面の中央に表示されたときに一定時間静止される場合について説明したが、静止される位置は中央には限定されず、例えば表示装置の設置位置により利用者が見やすいと考えられる画面内の左端や右端に合わせて表示情報の全体が表示されたときに一定時間静止されるようにしてもよい。
【００３２】
また本実施形態においては、表示情報が画面の左方向にスクロールするように画面表示を制御する場合について説明したが、この方向には限定されず、右方向、上方向、下方向、または斜め方向等のいずれの方向にスクロールするようにしてもよい。
【００３３】
《第２実施形態》
本発明の第２実施形態によるエレベータシステムの構成は、第１実施形態によるエレベータシステム１の構成と同様であるため、詳細な説明は省略する。
【００３４】
また本実施形態において、エレベータシステム１が設置された建物内で火災が発生した場合の乗りかご制御装置２０および乗りかご表示装置１３の表示情報切り替え動作のうち、乗りかご表示装置１３で運転制御情報を取得してこれに対応する表示情報を取得する処理については第１実施形態で説明した図３のステップＳ１〜Ｓ３、およびステップＳ５〜Ｓ７の処理と同様であるため、詳細な説明は省略する。
【００３５】
本実施形態において、図３のステップＳ４およびＳ８において表示情報であるテキスト文字「火」が表示部１３１にスクロール表示されるときには、この表示情報が表示部１３１の画面右側から左方向にスライドインされた後、スクロール移動され、当該表示情報が画面の中央等の所定位置に表示されたと判断されたときの位置に所定回数繰り返し表示され、さらに画面左側からスライドアウトされて表示されるように制御される。
【００３６】
一例として、ステップＳ８においてテキスト文字「火」の表示情報が、第１実施形態の場合と同様の画面を有する表示部１３１にスクロール表示される場合の画面遷移について図５を参照して説明する。
【００３７】
この画面上にテキスト文字「火」が画面右側から左方向にスライドインされてスクロール移動され（図５の時刻t1〜t9に該当）、画面の中央等の所定位置に表示されたと判断されたときの位置に所定回数（ここでは図５の時刻t10、t11、およびt12の３回）更新が繰り返され、さらに画面左側からスライドアウトされて表示される（図５の時刻t13〜t21に該当）。
【００３８】
以上の第２実施形態によれば、表示情報をスライドインさせながら画面に表示させて利用者の注意をひくことができるとともに、表示情報が所定位置に表示されたときの位置に複数回、繰り返し表示させることにより、利用者の視認性を向上させることができる。
【００３９】
《第３実施形態》
本発明の第３実施形態によるエレベータシステムの構成は、第１実施形態によるエレベータシステム１の構成と同様であるため、詳細な説明は省略する。
【００４０】
また本実施形態において、エレベータシステム１が設置された建物内で火災が発生した場合の乗りかご制御装置２０および乗りかご表示装置１３の表示情報切り替え動作のうち、乗りかご表示装置１３で運転制御情報を取得してこれに対応する表示情報を取得する処理については第１実施形態で説明した図３のステップＳ１〜Ｓ３、およびステップＳ５〜Ｓ７の処理と同様であるため、詳細な説明は省略する。
【００４１】
また本実施形態ではステップＳ４およびステップＳ８において、表示制御部１３５により、表示情報が表示部１３１にスクロール表示され当該表示情報が画面の中央等の所定位置に表示されたと判断されたときに、第１実施形態で説明した場合のように一定時間静止させる間、または第２実施形態で説明した場合のように所定回数繰り返し表示させる間、表示情報の色、明るさ、またはこれらの組み合わせを変化させる。例えば、色を赤色にし明るさを明るくすることで、利用者の注意をひきやすいように変化させる。
【００４２】
以上の第３実施形態によれば、表示情報をスライドインさせながら画面に表示させて利用者の注意をひくことができるとともに、表示情報が所定位置に表示されたときの状態でさらに利用者の注意をひくことができ、視認性を向上させることができる。
【００４３】
なお本実施形態において、表示情報の内容ごとの色や明るさの情報を予め乗りかご表示装置１３の表示情報記憶部１３２に記憶しておき、これらに基づいて表示制御部１３５が、表示情報を表示部１３１に表示させる際の色や明るさを変化させるようにしてもよい。例えば、緊急時に関する表示情報を表示させるときのみ、より利用者の注意をひくことができるように危険であることを示す注意色、例えば赤色や黄色にしたり明るくしたりするようにしてもよい。
【００４４】
《第４実施形態》
本発明の第４実施形態によるエレベータシステムの構成は、第１実施形態によるエレベータシステム１の構成と同様であるため、詳細な説明は省略する。
【００４５】
また本実施形態において、エレベータシステム１が設置された建物内で火災が発生した場合の乗りかご制御装置２０および乗りかご表示装置１３の表示情報切り替え動作のうち、乗りかご表示装置１３で運転制御情報を取得してこれに対応する表示情報を取得する処理については第１実施形態で説明した図３のステップＳ１〜Ｓ３、およびステップＳ５〜Ｓ７の処理と同様であるため、詳細な説明は省略する。
【００４６】
また本実施形態では、表示情報の内容ごとの表示時間または表示回数を予め乗りかご表示装置１３の表示情報記憶部１３２に記憶しておき、これに基づいて表示制御部１３５により、表示情報が表示部１３１にスクロール表示され当該表示情報が画面の中央等の所定位置に表示されたと判断されたときの状態での表示時間または表示回数を変化させる。
【００４７】
例えば、緊急時に関する表示情報が画面の中央に表示されたと判断されたときに、第１実施形態において説明したように一定時間静止させる場合には、この静止時間をより長くするようにしてもよい。また、第２実施形態において説明したように所定回数繰り返し表示させる場合には、この繰り返し表示回数をより多くするようにしてもよい。
【００４８】
以上の第４実施形態によれば、表示情報をスライドインさせながら画面に表示させて利用者の注意をひくことができるとともに、表示情報が所定位置に表示されたときの表示時間または表示回数を変更させてさらに利用者の注意をひくことができ、視認性を向上させることができる。
【００４９】
《第５実施形態》
本発明の第５実施形態によるエレベータシステムの構成は、第１実施形態によるエレベータシステム１の構成と同様であるため、詳細な説明は省略する。
【００５０】
また本実施形態において、エレベータシステム１が設置された建物内で火災が発生した場合の乗りかご制御装置２０および乗りかご表示装置１３の表示情報切り替え動作のうち、乗りかご表示装置１３で運転制御情報を取得してこれに対応する表示情報を取得する処理については第１実施形態で説明した図３のステップＳ１〜Ｓ３、およびステップＳ５〜Ｓ７の処理と同様であるため、詳細な説明は省略する。
【００５１】
また本実施形態ではステップＳ４およびステップＳ８において、表示制御部１３５により、表示情報が表示部１３１にスクロール表示され当該表示情報が画面の中央等の所定位置に表示されたと判断されたときの状態での表示時間、表示回数、またはスクロール速度を、スクロールする方向に基づいて変化させる。
【００５２】
例えば、左方向や上方向にスクロール移動させる場合には人間が日常的に表示情報を視認する方向に合致しており利用者は視認しやすいため画面中央での表示時間をある程度短くする、表示回数を少なくする、またはスクロール速度を速めにし、右方向や下方向にスクロール移動させる場合には視認性が低下するため画面中央での表示時間を長くする、表示回数を多くする、またはスクロール速度を遅めにするようにしてもよい。表示時間、表示回数、またはスクロール速度の変更については、第４実施形態と同様の方法を用いることができる。
【００５３】
以上の第５実施形態によれば、表示情報をスライドインさせながら画面に表示させて利用者の注意をひくことができるとともに、表示情報が所定位置に表示されたときの表示時間、表示回数、またはスクロール速度をスクロールする方向に応じて変更させてさらに利用者の注意をひくことができ、視認性を向上させることができる。
【００５４】
《第６実施形態》
本発明の第６実施形態によるエレベータシステムの構成は、第１実施形態によるエレベータシステム１の構成と同様であるため、詳細な説明は省略する。
【００５５】
また本実施形態において、エレベータシステム１が設置された建物内で火災が発生した場合の乗りかご制御装置２０および乗りかご表示装置１３の表示情報切り替え動作のうち、乗りかご表示装置１３で運転制御情報を取得してこれに対応する表示情報を取得する処理については第１実施形態で説明した図３のステップＳ１〜Ｓ３、およびステップＳ５〜Ｓ７の処理と同様であるため、詳細な説明は省略する。
【００５６】
本実施形態において、ステップＳ４およびステップＳ８において表示情報が表示部１３１にスクロール表示されるときには、この表示情報が表示部１３１の画面右側から左方向にスライドインされた後、スクロール移動され、当該表示情報が画面の中央等の所定位置に表示されたと判断された位置で一定時間静止されるかまたは表示情報が所定位置に表示されたときの状態で複数回、繰り返し表示されて画面左側にスライドアウトされ、さらに表示情報のテキスト情報、記号、図形等が１キャラクタずつ順に画面の中央等の所定位置に表示されるように制御される。
【００５７】
一例として、ステップＳ８において複数のテキスト文字「火災」の表示情報が、表示部１３１にスクロール表示される場合の画面遷移について図６（Ａ）および（Ｂ）を参照して説明する。
【００５８】
図６（Ａ）の例では、画面上に複数のテキスト文字「火災」のうちまず文字「火」が画面右側から左方向にスライドインされてスクロール移動され（図６（Ａ）の時刻t1〜t9に該当）、文字「火」が画面の中央に表示されたと判断された位置で一定時間静止される（図６（Ａ）の時刻t10〜t12に該当）。
【００５９】
さらにこの文字「火」がスライドアウトされながらこれに続いて文字「災」がスライドインされてスクロール移動され（図６（Ａ）の時刻t13〜t21に該当）、文字「災」が画面の中央に表示されたと判断された位置で一時静止される（図６（Ａ）の時刻t22〜t24に該当）。その後、「災」が画面左側からスライドアウトされる（図６（Ａ）の時刻t25〜t33に該当）。
【００６０】
さらに、これらのテキスト文字「火」および「災」が、１文字ずつ順に画面の中央位置に表示される（図６（Ａ）の時刻t34およびt35に該当）。
【００６１】
また図６（Ｂ）の例では、画面上に複数のテキスト文字「火災」のうちまず文字「火」が画面右側から左方向にスライドインされてスクロール移動され（図６（Ｂ）の時刻t1〜t9に該当）、文字「火」が画面の中央に表示されたと判断されたときの位置に所定回数繰り返し表示される（図６（Ｂ）の時刻t10〜t12に該当）。
【００６２】
さらにこの文字「火」がスライドアウトされながらこれに続いて文字「災」がスライドインされてスクロール移動され（図６（Ｂ）の時刻t13〜t21に該当）、文字「災」が画面の中央に表示されたと判断されたときの位置に所定回数繰り返し表示される（図６（Ｂ）の時刻t22〜t24に該当）。その後、「災」が画面左側からスライドアウトされる（図６（Ｂ）の時刻t25〜t33に該当）。
【００６３】
さらに、これらの文字「火」および「災」が、１文字ずつ順に画面の中央位置に表示される（図６（Ｂ）の時刻t34およびt35に該当）。
【００６４】
以上の第６実施形態によれば、表示情報をスライドインさせながら画面に表示させて利用者の注意をひくことができるとともに、表示情報が所定位置に表示された状態で一定時間静止させるかまたは表示情報が所定位置に表示されたときの状態で複数回、繰り返し表示させスライドアウトさせた後、表示情報を１キャラクタずつ順に画面の中央位置に表示させることで、さらに利用者の注意をひくことができる。また利用者は、スクロール表示された際に表示情報を見逃したときや見落とした文字等がある場合にも再確認することができ、さらに視認性を向上させることができる。
【００６５】
《第７実施形態》
本発明の第７実施形態によるエレベータシステムの構成は、第１実施形態によるエレベータシステム１の構成と同様であるため、詳細な説明は省略する。
【００６６】
また本実施形態において、エレベータシステム１が設置された建物内で火災が発生した場合の乗りかご制御装置２０および乗りかご表示装置１３の表示情報切り替え動作のうち、乗りかご表示装置１３で運転制御情報を取得してこれに対応する表示情報を取得する処理については第１実施形態で説明した図３のステップＳ１〜Ｓ３、およびステップＳ５〜Ｓ７の処理と同様であるため、詳細な説明は省略する。
【００６７】
また本実施形態ではステップＳ４およびステップＳ８において、表示制御部１３５により、表示情報が表示部１３１にスクロール表示され当該表示情報が画面の中央等の所定位置に表示されたと判断されたときに、第１実施形態で説明したように一定時間静止させる間、または第２実施形態で説明したように所定回数繰り返し表示させる間、表示情報の色調を反転させるように制御される。
【００６８】
一例として、ステップＳ８においてテキスト文字「火」の表示情報が、表示部１３１にスクロール表示される場合の画面遷移について図７（Ａ）および（Ｂ）を参照して説明する。
【００６９】
図７（Ａ）の例では、画面上にテキスト文字「火」が画面右側から左方向にスライドインされてスクロール移動され（図７（Ａ）の時刻t1〜t9に該当）、画面の中央に表示されたと判断された位置で一定時間静止されて色調が反転され（図７（Ａ）の時刻t10〜t12に該当）、さらに画面左側からスライドアウトされる（図７（Ａ）の時刻t13〜t21に該当）。
【００７０】
また図６（Ｂ）の例では、画面上にテキスト文字「火」が画面右側から左方向にスライドインされてスクロール移動され（図７（Ｂ）の時刻t1〜t9に該当）、画面の中央に表示されたと判断されたときの位置に、色調が反転されて所定回数繰り返し表示され（図７（Ｂ）の時刻t10〜t12に該当）、さらに画面左側からスライドアウトされて表示されるように制御される（図７（Ｂ）の時刻t13〜t21に該当）。
【００７１】
以上の第７施形態によれば、表示情報をスライドインさせながら画面に表示させて利用者の注意をひくことができるとともに、表示情報が所定位置に表示されたときの状態でさらに利用者の注意をひくことができ、視認性を向上させることができる。
【００７２】
上述した第１実施形態〜第７実施形態においては、エレベータ表示装置として乗りかご内の乗りかご表示装置を利用する場合について説明したが、建物の各階のエレベータ乗り場に設置された乗り場表示装置を利用するようにしてもよい。
【００７３】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００７４】
１…エレベータシステム
１０…乗りかご
１１…扉
１２…行き先ボタン群
１３…乗りかご表示装置
２０…乗りかご制御装置
１３１…表示部
１３２…表示情報記憶部
１３３…乗りかご制御情報取得部
１３４…表示情報取得部
１３５…表示制御部
【図１】
0005502845.tif 000002
【図２】
0005502845.tif 000003
【図３】
0005502845.tif 000004
【図４】
0005502845.tif 000005
【図５】
0005502845.tif 000006
【図６】
0005502845.tif 000007
【図７】
0005502845.tif 000008